(57)【特許請求の範囲】
【請求項１】
コンベアチェーンにその搬送方向に所定間隔で設けられる受皿支持台と、該受皿支持台に側方に所定角度傾動可能に支持される受皿とを備えた農産物選別装置用のバケットにおいて、
前記受皿の略中央部に透過光計測用の貫通孔を形成し、該受皿の貫通孔の下部側で且つ前記受皿支持台の中央部側に、該受皿が水平状態の際にその内部孔が受皿支持台の底壁に形成された孔と合致して前記貫通孔を介して導入される農産物透過光を前記受皿支持台の孔を介して受皿支持台の下方に導く遮光筒を備えたことを特徴とする農産物選別装置用のバケット。
【請求項２】
前記遮光筒は、受皿の貫通孔の外周縁底部と受皿支持台の前記孔の外周縁上部との少なくとも一方に設けられていることを特徴とする請求項１記載の農産物選別装置用のバケット。
【請求項３】
前記受皿は、前記遮光筒の搬送方向前後の少なくとも一方側で且つ遮光筒の外側に設けた受皿と受皿支持台とを連結する連結杆を介して傾動することを特徴とする請求項１または２記載の農産物選別装置用のバケット。
【請求項４】
前記受皿は、前記遮光筒の搬送方向左右の略中心線上で且つ遮光筒の外側に設けた支持軸を中心に傾動することを特徴とする請求項１または２記載の農産物選別装置用のバケット。
【請求項５】
前記受皿は、受皿支持台の搬送方向左右に対して、少なくとも一方側に傾動可能であることを特徴とする請求項１ないし４のいずれかに記載の農産物選別装置用のバケット。
【請求項６】
前記受皿は、その重量が計測可能に構成されていることを特徴とする請求項１ないし５のいずれかに記載の農産物選別装置用のバケット。
【発明の詳細な説明】
【０００１】
【発明の属する技術分野】
本発明は、リンゴ、梨、桃、柑橘等の農産物を選別包装する農産物の選別包装施設において用いられる農産物選別装置用のバケットに関する。
【０００２】
【従来の技術】
一般的に、この種の農産物選別装置には、近年の透過光計測技術の向上によって、受皿上に載せられた農産物に光を照射し、その透過光から農産物の特に内部品質を計測する技術が採用されている。そして従来、この透過光計測にあたっては、例えば透過光計測用の孔が形成されたフリートレイ等の受皿上に農産物を載せて計測する形態が知られており、この受皿は大型施設で特に傷み易い農産物に採用される場合が多い。
【０００３】
一方、他の透過光計測の形態としては、例えば特開平１０−１４６５７０号公報に開示されているように、傾動可能なバケットを使用した形態が知られている。この公報に開示のバケットは、透過光計測用の孔を有する受座体とその底面をなす底体とを一体化してバケットを形成し、このバケットの片側を一点支持させて傾動可能に構成したものである。
【０００４】
【発明が解決しようとする課題】
しかしながら、このバケットにあっては、バケットが片側一点支持によって傾動する構造であるため、バケット全体が傾動することになって載置されている農産物の排出時の落差が大きくなると共に、農産物が片方（傾動方向）へ排出されるのみであるため、農産物の搬送方向両側への排出ができずにその汎用性が劣る。また、このバケットの場合、バケット自体の重量計測を行う機構を備えていないため、バケットに載せられている農産物の重量計測を行うこともできない。
【０００５】
ところで、実公平２−２９５６８号公報や実公平３−１２７３７号公報等に示すように、農産物が載せられる皿状の受皿とこの受皿を搬送方向の両側に傾動可能に保持する受皿支持台を備えたバケット（バケットＢという）が知られている。このバケットＢは、受皿が受皿支持台に対して傾動する構造であることから、前記特開平１０−１４６５７０号公報に開示のバケット（バケットＡという）に比較して、農産物排出時の落差が少なくなると共に受皿上の農産物の搬送方向両側への排出が可能で、かつバケット上の農産物の重量計測を行うことができる。しかし、このバケットＢの受皿は単なる皿状であることから、透過光計測を行うことはできない。
【０００６】
つまり、前記バケットＡの場合は、透過光計測に適するものの両側傾動が不可能で農産物排出時の落差を少なくすることができず、また、バケットＢの場合は、両側傾動が可能で農産物排出時の落差を小さくできるものの透過光計測ができず、結局、両バケットとも傾動可能な構造としたバケットの利点を生かしつつ、透過光計測を行うことができないという問題点を有している。
【０００７】
そこで、バケットＢの受皿に、例えば前記バケットＡの思想を応用して透過光計測用の孔を設けることにより、このような問題点を解消することも考えられるが、この場合は、バケットＢの受皿が、固定された受皿支持台上に傾動可能に支持されていることから、受皿の傾動領域において、受皿支持台上に構造上の逃げ部（例えば切欠き部や隙間）を設ける必要がある。そのため、透過光計測時の受皿上の農産物周囲における遮光性を確保することが困難で、このような構造をそのまま透過光計測に採用することは計測精度の面等で難しいという問題点があった。
【０００８】
本発明は、このような事情に鑑みてなされたもので、その目的は、傾動式で農産物の排出落差を少なくし、かつ透過光計測を高精度に行い得る農産物選別装置用のバケットを提供することにある。また、他の目的は、前記目的に加え、遮光筒自体の構成や受皿の傾動機構を簡略化させたり、バケットを各種レイアウトに適用し得てその汎用性を向上させたり、あるいは受皿上の農産物の重量計測ができてその品質をより高精度で効率的に計測し得る農産物選別装置用のバケットを提供することにある。
【０００９】
【課題を解決するための手段】
かかる目的を達成すべく、本発明のうち請求項１記載の発明は、コンベアチェーンにその搬送方向に所定間隔で設けられる受皿支持台と、該受皿支持台に側方に所定角度傾動可能に支持される受皿とを備えた農産物選別装置用のバケットにおいて、受皿の略中央部に透過光計測用の貫通孔を形成し、該受皿の貫通孔の下部側で且つ前記受皿支持台の中央部側に、該受皿が水平状態の際にその内部孔が受皿支持台の底壁に形成された孔と合致して前記貫通孔を介して導入される農産物透過光を前記受皿支持台の孔を介して受皿支持台の下方に導く遮光筒を備えたことを特徴とする。
【００１０】
このように構成することにより、受皿上に載置された農産物は、バケットコンベアのコンベアチェーンで所定の撮像ステージまで搬送され、この撮像ステージで、例えばその上方から照射される光による農産物透過光を分析することで農産物の内部品質等が計測される。この計測時に、受皿が水平状態で、かつその貫通孔の下部側で且つ受皿支持台の中央部側に、遮光筒の内部孔が受皿支持台の底壁に形成された孔と合致して受皿の貫通孔を介して導入される農産物透過光を受皿支持台の該孔を介して受皿支持台の下方に導く遮光筒が設けられていることから、この遮光筒によって、農産物透過光を外部に漏らすことなく受皿支持台の孔を介して受皿支持台下方の受光部に良好に導くことができて、農産物の透過光計測の精度が高められる。この計測された農産物は、排出ステージで受皿支持台とは別体で傾動可能に支持された受皿が側方に傾動することによって、その排出落差を小さくした状態で排出部に排出される。
【００１１】
そして、前記遮光筒は、請求項２記載の発明のように、受皿の貫通孔の外周縁底部と受皿支持台の前記孔の外周縁上部との少なくとも一方に設けられているのが好ましい。このように構成することにより、受皿の貫通孔の外周縁底部や、受皿支持台の孔の外周縁上部、あるいはこれらの両方に遮光筒を設けるだけで、農産物透過光を受皿支持台下方の受光部に良好に導くことができて、遮光筒自体の構成が簡略化される。
【００１２】
また、前記受皿は、請求項３記載の発明のように、前記遮光筒の搬送方向前後の少なくとも一方側で且つ遮光筒の外側に設けた受皿と受皿支持台とを連結する連結杆を介して傾動したり、請求項４記載の発明のように、前記遮光筒の搬送方向左右の略中心線上で遮光筒の外側に設けた支持軸を中心に傾動することを特徴とする。このように構成することにより、遮光筒の外側の、受皿と受皿支持台間に設けた連結杆や左右の略中心線上に設けた支持軸を介して、遮光筒に支障を受けることなく受皿が傾動することから、その傾動機構が簡略化される。
【００１３】
また、前記受皿は、請求項５記載の発明のように、受皿支持台の搬送方向左右に対して、少なくとも一方側に傾動可能であることが好ましく、このように構成することにより、受皿が受皿支持台の搬送方向左側や右側、あるいはその両方に傾動できることから、選別包装施設のレイアウト等に応じて受皿を所定方向に傾動できて、バケットの汎用性が向上する。
【００１４】
また、前記受皿は、請求項６記載の発明のように、その重量が計測可能に構成されていることが好ましく、このように構成することにより、バケット上に載せられている農産物の重量が計測されることから、透過光で計測できる以外の品質項目である重量を受皿に載置状態のままで計測できて、農産物の品質がより精度良くかつ効率的に計測される。
【００１５】
【発明の実施の形態】
以下、本発明の実施の形態を図面に基づいて詳細に説明する。
図１〜図５は、本発明に係わるバケットを使用した農産物選別装置の一実施例を示し、図１がその要部の概略正面図、図２がその要部を拡大した正面図、図３が図２の平面図、図４がバケット部分の断面図、図５が図４を側面から見た断面図である。
【００１６】
図１において、農産物選別装置１は、フレームに回転可能に設けられた駆動スプロケット５と従動スプロケット６との間に配設されると共に、コンベアチェーン７を介して受皿８を有するバケット９が所定間隔で無端状に連結された選別コンベア２と、この選別コンベア２の往路の上流側に連結された供給コンベア３と、該供給コンベア３と前記選別コンベア２の連結部分に配置された吸引装置４を有している。
【００１７】
また、前記選別コンベア２は、その吸引装置４の下流側にロードセル等からなる重量測定器１０が配置されると共に、この重量測定器１０の下流側に照明１３と受光装置１４からなる透過光計測装置１１が配置され、さらに透過光計測装置１１の下流側に複数の排出装置１５（排出ソレノイド）と受箱１６からなる排出部１２が設けられている。なお、図示しないがカメラ等の撮像装置を選別コンベア２上に配置して、農産物Ｗの外観状態を撮像し、仕分け判定の要素に加えることもできる。
【００１８】
そして、吸引装置４の作動で受皿８上に載置された農産物Ｗが選別コンベア２で下流側に搬送され、先ず重量測定器１０でその重量が計測され、次に透過光計測装置１１で内部品質等が計測されて選別され、この選別結果に基づいて所定の排出装置１５が作動して、選別された農産物Ｗが所定の受箱１６上に排出されるように構成されている。
【００１９】
前記供給コンベア３は、その搬送方向に沿って所定の隙間を有して配置された多数の鼓型ローラ１７と、この鼓型ローラ１７を搬送方向に連結するコンベアチェーン１８等で形成され、前後の鼓型ローラ１７間に載置された農産物Ｗを一定のピッチで下流側に搬送するように構成されている。なお、この供給コンベア３と前記選別コンベア２は同期して作動するように設定されている。
【００２０】
前記吸引装置４は、図２及び図３に示すように、供給コンベア３の終端側３ａの下部の供給位置（搬送始端側）に配置され、全体の長さが選別コンベア２の略３個の連続する受皿８に対応する長さを有すると共に、その上面壁に吸引口１９ａを有する吸引室１９と、一端がこの吸引室１９の底壁に連結され他端がブロワー２０（図３参照）に連結された吸引管２１とで形成されている。この吸引装置４のブロワー２０が作動することによって、吸引管２１を介して吸引室１９内が吸引されて負圧となり、その結果、吸引口１９ａに連通する後述する受皿８の貫通孔２６等を介して受皿８上の農産物Ｗが吸引されることになる。
【００２１】
ここで、本発明の要旨を構成する前記バケット９の構造を図４及び図５に基づいて説明する。バケット９は、基本的に前記受皿８とこの受皿８を傾動可能に支持する受皿支持台２３を有している。受皿８は、中央部分が凹むと共に開口２４を有する皿部８ａと、この皿部８ａの下端にその上端フランジ２５ａが固定された内部孔２５ｂを有する遮光筒２５と、皿部８ａの底部で遮光筒２５との間に配置されたスポンジ等からなる遮光性のクッション材８ｂ等で形成されている。
【００２２】
そして、皿部８ａの傾斜した外周面とクッション材８ｂの上面で農産物Ｗの載置面が形成されると共に、クッション材８ｂの中央部分、すなわち受皿８の底部に上下方向に貫通する所定内径の貫通孔２６が形成されている。この貫通孔２６の下部側である受皿８の皿部８ａの下端に、前記遮光筒２５の上端フランジ２５ａが固定されることにより遮光筒２５と皿部８ａが一体化され、受皿８の傾動動作に連動して遮光筒２５が傾動することになる。
【００２３】
一方、この受皿８を支持する受皿支持台２３は、底壁２３ａと両側壁２３ｂとで形成され、底壁２３ａには前記貫通孔２６と遮光筒２５の内部孔２５ｂに対応した円形の孔２７が形成されると共に、この孔２７の対角線位置の外側には一対のガイド溝２７ａが形成されている。なお、底壁２３ａの孔２７と前記受皿８の遮光筒２５の内部孔２５ｂとは、受皿８が傾動しない水平状態にある際にその中心が上下方向で略一致し、孔２７の外周縁上面と遮光筒２５の下面とが、極僅かな隙間を有するかもしくは略当接状態になるように設定されている。この設定によって、後述する如く遮光筒２５に十分な遮光性が確保される。
【００２４】
また、受皿支持台２３の側壁２３ｂには、軸孔２８と遊嵌孔２９が形成され、軸孔２８にはスライダーバー３０の両端部が軸支され、このスライダーバー３０には、スプリング３１で側壁２３ｂ方向に付勢されたスライダー３２が軸方向に移動可能に嵌装されている。さらに、側壁２３ｂの遊嵌孔２９には、バケット９をコンベアチェーン７に組み付けるための取付部材３３が挿通されており、この取付部材３３は取付ピン部材３４を介して、ナイロンレール等からなるレール３５の上面に支持されている。
【００２５】
前記スライダー３２は、その底面側から下方に突出した作動ピン３６を有し、この作動ピン３６は、受皿支持台２３の前記ガイド溝２７ａに移動可能に嵌挿されると共に、作動ピン３６の下部には、該作動ピン３６の直進通路を挟む一側に直進ガイド３７が設けられ、他側に直進ガイド３７より短くかつカム面を有するカム式ガイド３８が設けられている。そして、各スライダー３２の上部には、連結杆４０の下端がピン４１でそれぞれ回動可能に枢着され、この連結杆４０の他端は遮光筒２５の上部に設けたピン受部４２にピン４３を介してそれぞれ枢着されている。
【００２６】
つまり、受皿８は、遮光筒２５の搬送方向イの前後で遮光筒２５の回動領域外に交差状に設けた前後それぞれ一対の連結杆４０によって、受皿支持台２３に傾動可能に支持されている。なお、受皿８の傾動機構は、搬送方向前後の一対の連結杆４０に限らず、例えば前後の一方側に交差状の連結杆４０を設け、他方側は単に支持する構造としても良いし、受皿８を片側傾動させる場合は、交差状の連結杆４０を使用することなく、１本の連結杆４０を使用することもできる。
【００２７】
また、前記カム式ガイド３８には、作動ピン３６をそのカム面に誘導する進路切替片４４が設けられ、この進路切替片４４は、通常作動ピン３６が直進できるように前記直進通路を開放し、カム式ガイド３８の始端部下方に配置された前記排出装置１５が作動して直進通路を閉じた際に、作動ピン３６をカム式ガイド３８のカム面に誘導する。この作動ピン３６のカム面への誘導によって、スライダー３２がスライダーバー３０に沿いつつスプリング３１の付勢力に抗して移動し、連結杆４０を介して受皿８が図４の二点鎖線で示す位置まで傾動させられるように構成されている。
【００２８】
次に、上記農産物選別装置１の動作の一例について説明する。先ず、選別コンベア２及び供給コンベア３の作動状態において吸引装置４も作動状態とし、これらの状態で供給コンベア３で搬送されその終端側３ａから落下（放出）される農産物Ｗは、図１及び図２の矢印ロの如く選別コンベア２の往路の搬送始端側（供給位置）に落下される。この落下された農産物Ｗは、供給コンベア３と選別コンベア２が同期して作動するように設定されていることから、農産物Ｗが供給コンベア３から一定ピッチで選別コンベア２のバケット９の受皿８上に供給される。
【００２９】
この時、受皿８上に供給される農産物Ｗは、その底部側が先ず受皿８の皿部８ａの外周の傾斜面に案内されながらクッション材８ｂ上に弾性力を受けつつ載置され、この載置と略同時に吸引装置４のブロワー２０の作動で、吸引管２１、遮光筒２５の内部孔２５ｂ及びクッション材８ｂの貫通孔２６を介して、農産物Ｗの底部が吸引されて貫通孔２６の中心位置、すなわち受皿８の略中央部（載置部）に吸引状態で載置される。
【００３０】
これにより、農産物Ｗのクッション材８ｂ上への載置から中央部への吸引が瞬時に行われ、農産物Ｗのクッション材８ｂ上への載置位置に若干バラツキが発生する場合であっても、吸引作用によって中央部に引き寄せることができ、落下される農産物Ｗが受皿８上に確実に供給されることになる。そして、受皿８上に載置供給された農産物Ｗは、選別コンベア２で搬送方向イの下流側に搬送されて重量測定器１０の位置でその重量が測定される。
【００３１】
この重量測定は、バケット９の取付部材３３が、受皿支持台２３の遊嵌孔２９に上下動自在に遊嵌されていることから、農産物Ｗが受皿８上に載置されたバケット９は、その重量に応じて下方に所定量撓み、この撓み量を重量測定器１０のロードセルが検出することによって行われる。重量測定器１０で重量測定された農産物Ｗは、選別コンベア２でさらに下流側に搬送されて透過光計測装置１１に供給され、農産物Ｗの内部品質が計測される。
【００３２】
この内部品質の計測は、選別コンベア２の往路面より上方に設けた照明１３から所定の照明光を受皿８上の農産物Ｗに照射し、この照射した光の農産物Ｗの透過光を往路面の下方に配置した受光装置１４で受光することによって行われる。この時、受皿８上の農産物Ｗが遮光性を有するクッション材８ｂ上でかつ貫通孔２６上に載置されると共に、受皿８が水平状態の場合に遮光筒２５と受皿支持台２３の孔２７との間に遮光性が維持されていることから、照明光のクッション材８ｂ内や遮光筒２５内への浸入及び遮光筒２５内の農産物透過光の遮光筒２５外への漏れが確実に防止されて、その遮光性が十分に確保される。
【００３３】
これにより、農産物Ｗを透過した農産物透過光のみが、貫通孔２６と遮光筒２５の内部孔２５ｂで案内されつつ、つまり受皿支持台２３の下方側に射出されつつ受光装置１４に導かれ、農産物Ｗの内部品質が高精度に計測される。この内部品質及び前記重量測定によって農産物Ｗの等階級が判定されることになる。そして、透過光計測装置１１で計測され等階級が判定された農産物Ｗは、選別コンベア２でさらに下流側に搬送されて排出部１２に供給される。
【００３４】
この排出部１２に供給された農産物Ｗは、判定された等階級に対応した排出装置１５が作動することによって、対応する受箱１６に排出される。この時、前述したようにバケット９のスライダー３２の作動ピン３６が等階級に応じた排出装置１５の作動で、カム式ガイド３８のカム面に当接することによって、スライダー３２が軸方向に移動して、受皿８が搬送方向の右側もしくは左側に傾動させられる。また、受皿８の傾動動作は、連結杆４０が受皿８に一体化されて下方に突出した遮光筒２５の回動領域外に設けられていることから、受皿８の傾動動作に連結杆４０が支障をきたすことはなく、スムーズに行われる。
【００３５】
このように上記実施例の農産物選別装置１にあっては、受皿支持台２３に傾動可能に設けられた受皿８に遮光筒２５を一体的に設けると共に、受皿８が水平状態にある際に、遮光筒２５によって農産物透過光が遮光されるため、受皿８上に載せられた農産物Ｗの透過光の遮光筒２５外への漏れや、外部の光の遮光筒２５内への浸入が確実に防止される等、遮光筒２５により農産物透過光の遮光性を十分に確保できて、農産物Ｗの高精度な透過光計測が行える。
【００３６】
また、受皿支持台２３に受皿８が傾動可能に設けられているため、透過光計測されて搬送されてきた農産物Ｗを、受皿８の傾動動作で排出部１２に排出することができ、その際、受皿支持台２３とは別体の受皿８が傾動することから、農産物Ｗの排出落差を小さくすることができて、排出時の農産物Ｗへの傷付きを確実に防止することができる。これらにより、傾動可能な受皿８の持つ利点を生かしつつ、高精度な透過光計測が可能なバケット９を得ることが可能になると共に、農産物Ｗの選別ための重要な要素である透過光計測を、従来の項目（カメラの色傷や形状、秤量器の重量等）に更に加えることができて、信頼性の高い選別作業を行うことが可能になる。
【００３７】
また、バケット９が重量計測可能に構成されているため、受皿８上の農産物Ｗの重量を載置状態のままで計測することができ、農産物Ｗの選別に必要な透過光で計測できる以外の品質項目である重量も同時に計測できて、農産物Ｗの品質のより精度良い計測が可能になると共に、載置状態のままで透過光計測と重量計測が可能になり、計測作業の効率化を図ることができる。
【００３８】
さらに、傾動可能な受皿８の下部に筒状の遮光筒２５の上端フランジ２５ａを固定することにより、遮光筒２５が受皿８に一体化されるため、遮光筒２５自体の構成を簡略化することができると共に、受皿８の傾動機構を交差状の連結杆４０等によって形成できて、傾動機構も簡略化することができる。これらにより、低コストで確実な遮光性を確保することができると共に、遮光筒２５が傾動可能な受皿８に設けられていることから、その調整やメンテナンスを容易に行うこともできる。
【００３９】
図６及び図７は、本発明に係わるバケットの他の実施例を示し、図６が図４と同様の断面図、図７が図５と同様の断面図である。以下、上記実施例と同一部位には同一符号を付して説明する。この実施例のバケット９は、受皿８の底部に第１の遮光筒５１を一体的に設けると共に、受皿支持台２３に第１の遮光筒５１と対向する第２の遮光筒５２を一体的に設ける。
【００４０】
第１の遮光筒５１は、その上端フランジ５１ａを受皿８の皿部８ａの底部に固着することにより一体化されると共に、内部孔５１ｂを有し、かつその底面が凸状（もしくは凹状）の球面５１ｃで形成されている。また、第２の遮光筒５２は、受皿支持台２３の底壁２３ａの孔２７部分に一体成形され、内部孔５２ａを有すると共に、その上面が凹状（もしくは凸状）の球面５２ｂで形成されている。さらに、第１の遮光筒５１の底面と第２の遮光筒５２の上面との間には、バネ５４で弾性支持されたボール５３が介装されている。
【００４１】
また、受皿支持台２３の前後方向の一方側には、上部側にガイドピン５５ａを有するスライダー５５が図６の矢印ハ方向に移動可能に配設されている。このスライダー５５は、その中央部がスライダーバー５９に嵌挿されて受皿支持台２３の側壁２３ｂ間に介装されたスプリング５８で弾性支持されると共に、上部側のガイドピン５５ａが、第１の遮光筒５１の外面に設けた縦長のガイド孔５６に係合されている。
【００４２】
そして、第１の遮光筒５１（すなわち受皿８）は、その上端フランジ５１ａが受皿支持台２３の前後の側壁２３ｂに、支持軸５７を介して回動可能に支持されている。この支持軸５７は、受皿８の搬送方向イ左右の略中心位置で前記球面５１ｃの正面側から見た円の略中心位置に設けられ、この支持軸５７を中心に受皿８が受皿支持台２３に対して、ボール５３で弾性支持されつつ傾動する。この時、第１の遮光筒５１の球面５１ｃは、第２の遮光筒５２の球面５２ｂに沿った状態で傾動することになる。
【００４３】
このバケット９は、透過光計測時の受皿８が水平状態の際に、受皿８の第１の遮光筒５１の球面５１ｃと受皿支持台２３の第２の遮光筒５２の球面５２ｂとが、上下方向で対向することにより、一つの遮光筒が形成されることになる。したがって、この第１の遮光筒５１及び第２の遮光筒５２に上記実施例の遮光筒２５と同様の機能を得ることができ、この実施例のバケット９においても、上記実施例と同等の作用効果が得ることができると共に、受皿８を支持軸５７を介して受皿支持台２３に直接傾動可能に支持する構造であることから、受皿８の傾動機構がより簡略化されるという作用効果も得られる
【００４４】
ところで、この実施例においては、第１の遮光筒５１と第２の遮光筒５２の高さを略同一に設定したが、これらの遮光筒５１、５２が対向する球面５１ｃ、５２ｂによって傾動する構造であることから、その球面５１ｃ、５２ｂの曲率を適宜に設定すること等により、図７の二点鎖線で示すように、第１の遮光筒５１の高さを短くし、第２の遮光筒５２の高さを長くすることもできる。また、本発明の遮光筒は、受皿８や受皿８と受皿支持台２３の両方に設ける以外に、例えばその形状設定によっては、受皿支持台２３のみに設けることも勿論可能である。
【００４５】
さらに、上記各実施例における、バケット９の受皿８や受皿支持台２３の形状、受皿８の受皿支持台２３に対する傾動機構等も一例であって、本発明に係わる各発明の要旨を逸脱しない範囲において適宜に変更することができる。
【００４６】
【発明の効果】
以上詳述したように、請求項１記載の発明によれば、受皿支持台に側方に所定角度傾動可能に支持される受皿の貫通孔の下部側で且つ受皿支持台の中央部側に、受皿が水平状態の際にその内部孔が受皿支持台の底壁に形成された孔と合致して受皿の貫通孔を介して導入される農産物透過光を受皿支持台の孔を介して受皿支持台の下方に導く遮光筒を備えるため、受皿が水平状態の透過光計測時に、遮光筒によって、農産物透過光を外部に漏らすことなく受皿支持台の孔を介して受皿支持台下方の受光部に良好に導くことができて、農産物の透過光計測の精度を高めることができると共に、傾動可能な受皿の持つ排出時の農産物の落差を小さくできるという利点を生かすこともできて、農産物の傷み等を確実に防止することができる。
【００４７】
また、請求項２記載の発明によれば、請求項１記載の発明の効果に加え、遮光筒を、受皿の貫通孔の外周縁底部と受皿支持台の前記孔の外周縁上部との少なくとも一方に設けるだけで対応できるため、この構成簡易な遮光筒で農産物透過光を受皿支持台下方の受光部に良好に導くことができる。
【００４８】
また、請求項３記載の発明によれば、請求項１または２記載の発明の効果に加え、遮光筒の搬送方向前後の少なくとも一方側で且つ遮光筒の外側に設けた受皿と受皿支持台とを連結する連結杆を介して受皿が傾動するため、受皿の傾動機構を簡略化することができると共に、他部品の影響を受けることなく受皿をスムーズに傾動させることができる。
【００４９】
また、請求項４記載の発明によれば、請求項１または２記載の発明の効果に加え、遮光筒の外側で搬送方向左右の略中心線上に設けた支持軸を介して受皿が傾動するため、受皿の傾動機構を簡略化することができると共に、他部品の影響を受けることなく受皿をスムーズに傾動させることができる。
【００５０】
また、請求項５記載の発明によれば、請求項１ないし４記載の発明の効果に加え、受皿が、受皿支持台の搬送方向左右に対して少なくとも一方側に傾動可能に構成されているため、選別包装施設のレイアウト等に応じて受皿を左右の所定方向に傾動できて、バケットの汎用性を向上させることができる。
【００５１】
また、請求項６記載の発明によれば、請求項１ないし５記載の発明の効果に加え、バケット上に載せられている農産物の重量が計測できるため、透過光で計測できる以外の品質項目である重量を載置状態のままで計測できて、農産物の品質をより精度良くかつ効率的に計測することができる等の効果を奏する。
【図面の簡単な説明】
【図１】本発明に係わるバケットを採用した農産物選別装置の一実施例を示す要部の概略正面図
【図２】同その要部を拡大した正面図
【図３】同図２の平面図
【図４】同バケット部分の断面図
【図５】同図４を側面から見た断面図
【図６】本発明に係わるバケットの他の実施例を示す図４と同様の断面図
【図７】同その図５と同様の断面図
【符号の説明】
１・・・・・・・・・・農産物選別装置
２・・・・・・・・・・選別コンベア
３・・・・・・・・・・供給コンベア
４・・・・・・・・・・吸引装置
７・・・・・・・・・・コンベアチェーン
８・・・・・・・・・・受皿
８ａ・・・・・・・・・皿部
８ｂ・・・・・・・・・クッション材
９・・・・・・・・・・バケット
１０・・・・・・・・・重量測定器
１１・・・・・・・・・透過光計測装置
１２・・・・・・・・・排出部
１３・・・・・・・・・照明
１４・・・・・・・・・受光装置
１５・・・・・・・・・排出装置
１６・・・・・・・・・受箱
２３・・・・・・・・・受皿支持台
２４・・・・・・・・・開口
２５・・・・・・・・・遮光筒
２５ａ・・・・・・・・上端フランジ
２５ｂ・・・・・・・・内部孔
２６・・・・・・・・・貫通孔
２７・・・・・・・・・孔
２７ａ・・・・・・・・ガイド溝
４０・・・・・・・・・連結杆
５１・・・・・・・・・第１の遮光筒
５１ａ・・・・・・・・上端フランジ
５１ｂ・・・・・・・・内部孔
５１ｃ・・・・・・・・球面
５２・・・・・・・・・第２の遮光筒
５２ａ・・・・・・・・内部孔
５２ｂ・・・・・・・・球面
５７・・・・・・・・・支持軸
５８・・・・・・・・・スプリング
Ｗ・・・・・・・・・・農産物
イ・・・・・・・・・・搬送方向
【図１】
0004134308.tif 000002
【図２】
0004134308.tif 000003
【図３】
0004134308.tif 000004
【図４】
0004134308.tif 000005
【図５】
0004134308.tif 000006
【図６】
0004134308.tif 000007
【図７】
0004134308.tif 000008